(57)【特許請求の範囲】
【請求項１】
横編機における前針床と後針床との間の歯口の下方に配置され、編地の編出し部を捕捉して前記編地を下方に引下げるための装置であり、
フック収納部を有する第一針部材とフックを有する第二針部材とを相対的にスライド可能に組み合わせてなる複数の編出し針と、
前記複数の編出し針がスライド可能に配置されるベース部と、
前記第一針部材と前記第二針部材とを相対的にスライドさせて、前記編出し針の状態を、前記編出し部を保持する保持状態と前記編出し部を保持しない非保持状態との間で切り替える針制御機構と、
前記第一針部材または前記第二針部材を前記歯口の下方に付勢する付勢体と、を備える編出し装置において、
前記編出し針は、前記ベース部に形成される複数の針溝のそれぞれに配置され、
前記第一針部材と前記第二針部材は、両者のスライド範囲を規定する一対のスライド係合部を備え、
前記針制御機構は、
前記第一針部材と前記第二針部材のうち、前記付勢体が取り付けられてない方の針部材に設けられる針側係合部と、
前記ベース部に摺動可能に取り付けられ、前記針側係合部に作用するベース側係合部を有する作用片と、
前記編出し針の延伸方向に沿って前記作用片を上下動させる昇降機構部と、を備え、
前記ベース側係合部で前記針側係合部を上下動させることで、前記第一針部材と前記第二針部材の相対的な位置を変化させる編出し装置。
【請求項２】
前記付勢体が、前記第二針部材に取り付けられており、
前記針側係合部が、前記第一針部材に設けられるバットで構成される請求項１に記載の編出し装置。
【請求項３】
前記針側係合部が、バットで構成され、
前記ベース側係合部が、前記バットを内部に収納する収納凹部で構成され、
前記収納凹部の上端縁が前記バットを下方に引下げる、または前記収納凹部の下端縁が前記バットを上方に押上げることで、前記第一針部材と前記第二針部材の相対的な位置が変化する請求項１または請求項２に記載の編出し装置。
【請求項４】
前記スライド係合部の一方が、前記編出し針の延伸方向に直交する方向に突出する係合凸部、他方が前記係合凸部を前記編出し針の延伸方向にスライド可能となるように収納する係合凹部である請求項１〜請求項３のいずれか１項に記載の編出し装置。
【請求項５】
前記昇降機構部は、前記作用片に設けられるカムフォロアと、前記ベース部上に配置され、前記カムフォロアが係合するカム溝を有するカム板と、前記ベース部の幅方向に前記カム板を移動させる駆動部と、を備え、
前記カム溝は、その上端の位置と下端の位置にそれぞれ、前記ベース部の幅方向に延びる上端フラット部と下端フラット部を備え、
前記下端フラット部に前記カムフォロアが配置されることで、前記作用片によって前記バットが下方に引下げられ、前記編出し針が前記非保持状態になるように前記下端フラット部が形成され、
前記上端フラット部に前記カムフォロアが配置されることで、前記作用片によって前記バットが上方に押上げられ、前記編出し針が前記保持状態になるように前記上端フラット部が形成されている請求項１〜請求項４のいずれか１項に記載の編出し装置。
【請求項６】
前記カム溝は、前記下端フラット部寄りの位置に、前記ベース部の幅方向に延びる中間フラット部を備え、
前記中間フラット部に前記カムフォロアが配置されたときに、前記作用片が前記バットに接触する直前の位置、あるいは前記バットに接触する位置に停止するように前記中間フラット部が形成されている請求項５に記載の編出し装置。
【発明の詳細な説明】
【技術分野】
【０００１】
本発明は、横編機で編成された編地の編出し部を歯口の下方に引下げるための編出し装置に関する。
【背景技術】
【０００２】
横編機は、対向する前針床と後針床と、各針床に並列される多数の針溝のそれぞれに配置される編針と、針床の長手方向（針溝の延伸方向と直交する方向）に沿って往復運動するキャリッジと、を備える。キャリッジには編成カムが搭載されており、この編成カムにより編針に編成動作を行なわせる。このような構成を備える横編機には、前針床と後針床との間に形成される歯口の下方に、編地の編出し部を捕捉して編地を引下げる編出し装置が設けられる場合がある（例えば、特許文献１を参照）。
【０００３】
特許文献１の編出し装置は、複数の針溝が形成される編出しベッド（ベース部）と、各針溝に配置される編出し針と、編出し針を構成する針本体（第一針部材）とスライダ（第二針部材）とを相対的にスライドさせる編出し針保持開放装置（針制御機構）と、を備える。第二針部材の上端には編出し部を係止するフックが形成されており、第一針部材の上端には第二針部材のフックを収納するフック収納部が形成されている。針制御機構によって第一針部材と第二針部材とを相対的にスライドさせ、第一針部材のフック収納部から第二針部材のフックを突出させることで、編出し針は編出し部を保持できる保持状態になり、上記フック収納部に上記フックを収納させることで、編出し針は編出し部を係止しない非保持状態になる。この特許文献１ではさらに、第二針部材を下方に付勢するコイルバネ（付勢体）が設けられている（特許文献１の図６参照）。そのコイルバネによって、一定の編幅毎にウエールの編成コース数が異なる編地を編成する場合でも、編地の各ウエールに編成コース数に応じた適切な引下げ力を付与することができるようになっている。
【０００４】
コイルバネを用いた上記特許文献１では、揺動レバーを用いた針制御機構を採用している。具体的には、第一針部材に対して第二針部材をスライドさせる揺動レバーを設け、コイルバネによる付勢力を第二針部材に作用させる構成となっている。このような構成であれば、コイルバネの付勢力に関わらず、揺動レバーを動かすことで、編出し針を保持状態から非保持状態、あるいはその逆に切り替えることができる。
【先行技術文献】
【特許文献】
【０００５】
【特許文献１】特許第３３７７７００号公報
【発明の概要】
【発明が解決しようとする課題】
【０００６】
従来の編出し装置では、針制御機構のうち、駆動部を除く揺動レバーや針制御プレート、揺動アームなどの構成が編出し装置の厚み方向（編出し装置の針床の厚み方向に同じ）に大きく突出している。その大きく突出した構成は、編出し装置の幅方向の全域に渡って配置されているため、従来の編出し装置は大きな搭載スペースを要する。
【０００７】
本発明は、上記事情に鑑みてなされたものであり、その目的の一つは、横編機における搭載スペースのコンパクト化を図ることができる編出し装置を提供することにある。
【課題を解決するための手段】
【０００８】
本発明の編出し装置は、横編機における前針床と後針床との間の歯口の下方に配置され、編地の編出し部を捕捉して前記編地を下方に引下げるための編出し装置であって、複数の編出し針と、ベース部と、針制御機構と、付勢体と、を備える。前記編出し針は、フック収納部を有する第一針部材とフックを有する第二針部材とを相対的にスライド可能に組み合わせてなる。前記ベース部は、前記複数の編出し針がスライド可能に配置される。針制御機構は、前記第一針部材と前記第二針部材とを相対的にスライドさせて、前記編出し針の状態を、前記編出し部を保持する保持状態と前記編出し部を保持しない非保持状態との間で切り替える。前記付勢体は、前記第一針部材または前記第二針部材を前記歯口の下方に付勢する。この本発明の編出し装置に備わる前記針制御機構は、前記第一針部材と前記第二針部材のうち、前記付勢体が取り付けられてない方の針部材に設けられる針側係合部と、前記ベース部に摺動可能に取り付けられ、前記針側係合部に作用するベース側係合部を有する作用片と、前記編出し針の延伸方向に沿って前記作用片を上下動させる昇降機構部と、備える。この針制御機構は、前記ベース側係合部で前記針側係合部を上下動させることで、前記第一針部材と前記第二針部材の相対的な位置を変化させる。
【０００９】
本発明の編出し装置の一形態として、前記付勢体が、前記第二針部材に取り付けられており、前記針側係合部が、前記第一針部材に設けられるバットで構成される形態を挙げることができる。
【００１０】
本発明の編出し装置の一形態として、前記針側係合部が、バットで構成され、前記ベース側係合部が、前記バットを内部に収納する収納凹部で構成される形態を挙げることができる。この場合、前記収納凹部の上端縁が前記バットを下方に引下げる、または前記収納凹部の下端縁が前記バットを上方に押上げることで、前記第一針部材と前記第二針部材の相対的な位置が変化する。
【００１１】
本発明の編出し装置の一形態として、前記第一針部材と前記第二針部材は、両者のスライド範囲を規定する一対のスライド係合部を備える形態を挙げることができる。その場合、スライド係合部の一方が、前記編出し針の延伸方向に直交する方向に突出する係合凸部、他方が前記係合凸部を前記編出し針の延伸方向にスライド可能となるように収納する係合凹部である構成とする。
【００１２】
本発明の編出し装置の一形態として、前記昇降機構部は、前記作用片に設けられるカムフォロアと、前記ベース部上に配置され、前記カムフォロアが係合するカム溝を有するカム板と、前記ベース部の幅方向に前記カム板を移動させる駆動部と、を備える形態を挙げることができる。この形態では、前記カム溝は、その上端の位置と下端の位置にそれぞれ、前記ベース部の幅方向に延びる上端フラット部と下端フラット部を備える。そして、前記下端フラット部に前記カムフォロアが配置されることで、前記作用片によって前記バットが下方に引下げられ、前記編出し針が前記非保持状態になるように前記下端フラット部が形成されている。また、前記上端フラット部に前記カムフォロアが配置されることで、前記作用片によって前記バットが上方に押上げられ、前記編出し針が前記保持状態になるように前記上端フラット部が形成されている。
【００１３】
前記カムフォロアと前記カム板とを備える本発明の編出し装置の一形態として、前記カム溝は、前記下端フラット部寄りの位置に、前記ベース部の幅方向に延びる中間フラット部を備える形態を挙げることができる。その場合、前記中間フラット部に前記カムフォロアが配置されたときに、前記作用片が前記バットに接触する直前の位置、あるいは前記バットに接触する位置に停止するように前記中間フラット部が形成されている。ここで、前記中間フラット部は前記下端フラット部よりも上方側に位置しているので、前記作用片が前記バットに接触していても、前記バットは下方に引下げられることはない。
【発明の効果】
【００１４】
本発明の編出し装置では、編出し装置の厚み方向に揺動する揺動レバーを用いた針制御機構の代わりに、編出し装置のベース部上を上下動する作用片を用いた針制御機構を採用している。そのため、本発明の編出し装置は、従来の編出し装置よりもコンパクトになる。
【００１５】
フックを有する第二針部材に付勢体を取り付けることで、フックに係止される編出し部に適切なテンションをかけることができる。また、第一針部材に設けられる針側係合部をバットで構成することで、針側係合部を凹みで構成した場合よりも第一針部材の強度を高くすることができる。
【００１６】
編出し針は細長く薄い部材である。そのため、針側係合部をバットで構成し、ベース側係合部を収納凹部で構成することで、その逆（針側係合部＝収納凹部、ベース側係合部＝バット）とする場合よりも編出し針の強度を高くすることができる。また、収納凹部の上端縁と下端縁でバットを動かす構成とすることで、保持状態と非保持状態との切り替えを確実に行なうことができる。
【００１７】
第一針部材と第二針部材の相対的なスライド範囲を規定する係合凸部と係合凹部を編出し針に設けることで、両針部材を相対的にスライドさせたときに係合凹部の内壁に係合凸部が当て止めされるので、上記スライド範囲を精密に規定することができる。また、スライド係合部によって第一針部材から第二針部材が外れ難くなる。
【００１８】
カムフォロアとカム溝との係合によって作用片を移動させる構成によれば、作用片を滑らかに上下動させることができる。また、カム溝の上端と下端にフラット部を形成することで、作用片の移動範囲の上端位置と下端位置を高精度に決めることができる。その結果、保持状態から非保持状態への切り替え、および非保持状態から保持状態への切り替えを確実に行なうことができる。
【００１９】
カム溝に中間フラット部を形成することで、カムフォロアを上端フラット部から中間フラット部に移動させたときに、編出し針が保持状態に維持され、かつ編出し針に付勢体の付勢力が作用しない状態にすることができる。編出し針をこの状態とすることで、編出し部にほぼ一定のテンションをかけた状態を維持しながら、横編機で編地を編成することができる。
【図面の簡単な説明】
【００２０】
【図１】編出し装置を備える横編機の概略図である。
【図２】編出し装置の概略構成図である。
【図３】（Ａ）は編出し針の第一針部材と第二針部材の概略図、（Ｂ）は非保持状態にある編出し針の概略図、（Ｃ）は保持状態にある編出し針の概略図である。
【図４】（Ａ）は編出し装置の部分拡大図、（Ｂ）は作用片の部分拡大図である。
【図５】（Ａ）〜（Ｃ）は、編出し装置の部分縦断面図であって、針制御機構による編出し針の動作を説明する説明図である。
【発明を実施するための形態】
【００２１】
以下、実施形態に係る編出し装置を図面に基づいて説明する。
【００２２】
＜実施形態１＞
≪全体構成≫
図１に示す本実施形態の横編機２００は、対向する前針床ＦＢと後針床ＢＢとを備え、両針床ＦＢ，ＢＢに備わる編針で編地を編成する装置である。本例の横編機２００はさらに、前針床ＦＢと後針床ＢＢとの間に形成される歯口ＧＰの下方に配置される編出し装置１００を備える。編出し装置１００は、横編機によって編成される編地の編出し部を捕捉して下方に引下げるための装置である。本例の横編機２００はさらに、巻下げ装置３００を備えている。巻下げ装置３００は、一対の巻下げローラ３０１，３０２を備えており、巻下げローラ３０１，３０２の間に編地を挟み込んで、編地を下方に送り出す装置である。
【００２３】
上記横編機２００で編地を編成する場合、編地の編出し部を編成すると共に、編出し装置１００を上方に移動させ、編出し針２を歯口ＧＰの位置に配置し、編出し部を編出し針２で捕捉する。そして、編出し装置１００を下方に移動させながら編地を編成する。巻下げ装置３００で編地を挟み込める位置まで編地を編成したら、巻下げローラ３０１，３０２で編地を挟み込むと共に、編出し針２から編出し部を外す。このように編出し装置１００と巻下げ装置３００によって常に編地に所定のテンションをかけておくことで、編地を編成し易くすることができる。
【００２４】
実施形態に係る編出し装置１００は、従来の編出し装置と同様に、ベース部１と、編出し針２と、針制御機構３と、付勢体４と、を備える。この編出し装置１００における従来との主な相違点は、針制御機構３の構成にある。以下、編出し装置１００の各構成を詳細に説明する。
【００２５】
≪ベース部≫
図２は、図１の編出し装置１００を紙面右側から見た概略構成図である。ベース部１は、歯口ＧＰ側に配置される針床部１０と、後述する作用片３１やコイルバネ（付勢体）４などの部材が設けられる設置部１１と、を備える。針床部１０には、後述する編出し針２を収納する複数の針溝１ｇ（図４参照）が設けられている。一方、設置部１１には、後述する作用片３１の作動腕３１Ｂがスライド可能に嵌め込まれるスライド凹部１ｓ（図４参照）が設けられている。
【００２６】
ベース部１は、その両端部がブラケット１２を介して図示しないベース部昇降機構に取り付けられている。そのため、ベース部１全体を鉛直方向に上下動させることができる。
【００２７】
≪編出し針≫
編出し針２は、図３に示すように、相対的にスライド可能に組み合わされる第一針部材２０と第二針部材２１とを備える。その編出し針２は、ベース部１の針溝１ｇ（図４参照）にスライド可能に配置される。針溝１ｇに配置される編出し針２は、帯金１ｂ（図２参照）によって針溝１ｇから外れないように押さえられている。なお、編出し針２は、針溝１ｇに配置される構成に限定されるわけではなく、カバーやワイヤ等で針床部１０上にスライド可能に配置されていても良い。
【００２８】
［第一針部材］
図３（Ａ）に示すように、第一針部材２０は、その紙面右側から第二針部材２１を嵌め込むことができるスライド溝２ｇを備える。そのスライド溝２ｇに、第二針部材２１を嵌め込むことで、図３（Ｂ），（Ｃ）に示す編出し針２が形成される。第一針部材２０の上端部には、後述する第二針部材２１のフック２ｆを収納するフック収納部２ｃが設けられている。フック収納部２ｃは略台形状に形成されており、フック収納部２ｃには編地の編出し部が引っ掛かる部分がない。
【００２９】
第一針部材２０の中間部には、第一針部材２０と第二針部材２１との相対的なスライド範囲を規定するスライド係合部２ａが設けられている。本例のスライド係合部２ａは、第一針部材２０を紙面表裏方向に貫通する矩形孔を設けることで形成されている。矩形孔は、その一部がスライド溝２ｇよりも深い位置（紙面左側の位置）まで達するように形成されており、結果的に矩形孔の位置でスライド溝２ｇが深くなったようになる。そのスライド溝２ｇの深くなった部分（係合凹部）が、本例におけるスライド係合部２ａを形成している。なお、このスライド係合部２ａと、後述するスライド係合部２ｂの形成位置は特に限定されず、編出し針２の延伸方向におけるどの位置にあっても良い。
【００３０】
第一針部材２０の下端部には、ベース部１（図５参照）に向う方向に突出するバット（針側係合部）３０が設けられている。このバット３０は、後述する針制御機構３（図２，４，５参照）の一部を構成する。ここで、バット３０の形成位置は特に限定されず、第一針部材２０の延伸方向のどの位置にあっても良い。
【００３１】
［第二針部材］
図３（Ａ）に示すように、第二針部材２１の上端部には、編地の編出し部を引っ掛けるフック２ｆが設けられている。フック２ｆの構成は、特許文献１と同様のものを利用できる。図３（Ｂ）に示すようにフック２ｆが第一針部材２０のフック収納部２ｃに収納された状態では、フック収納部２ｃに編地の編出し部が引っ掛かる部分がないため、編出し針２は、編地の編出し部を係止することができない非保持状態となる。一方、図３（Ｃ）に示すようにフック２ｆがフック収納部２ｃから露出した状態では、当該フック２ｆに編地の編出し部を引っ掛けることができるため、編出し針２は、編出し部を係止することができる保持状態になる。
【００３２】
第二針部材２１の中間部には、第一針部材２０のスライド係合部（係合凹部）２ａと共に、第二針部材２１のスライド範囲を規制するスライド係合部２ｂが設けられている。本例のスライド係合部２ｂは、第一針部材２０のスライド溝２ｇ側（編出し針２の延伸方向に直交する方向）に突出し、第一針部材２０の係合凹部２ａの内部に収納される突起（係合凸部）である。既に述べたように、第一針部材２０のスライド係合部２ａは、スライド溝２ｇが一部深くなった係合凹部であり、その係合凹部２ａの上下方向（編出し針２の延伸方向）の幅は、係合凸部２ｂの上下方向の幅よりも大きくなっている。そのため、図３（Ｃ）に示すように第一針部材２０を上方にスライドさせた場合、係合凹部２ａの下端縁に係合凸部２ｂが当て止めされ、図３（Ｂ）に示すように第一針部材２０を下方にスライドさせた場合、係合凹部２ａの上端縁に係合凸部２ｂが当て止めされる。このように、第一針部材２０のスライドを当て止めによって規制する構成によれば、第一針部材２０と第二針部材２１の相対的なスライド範囲が精密に規定される。これらスライド係合部２ａ，２ｂの係合によって、スライド方向（編出し針２の延伸方向に同じ）に第一針部材２０から第二針部材２１が外れることを抑制できるという効果もある。なお、第一針部材２０のスライド溝２ｇ内に係合凸部を形成し、その係合凸部に係合する係合凹部を第二針部材２１に形成することもできる。
【００３３】
第二針部材２１の下端部には、コイルバネ４（図４参照）の一端が係止される係止部２ｊが設けられている。そのコイルバネ４の他端は、図４に示すように、ベース部１の設置部１１に取付けられるフック状の係止部材１ｊに係止されている。つまり、第二針部材２１と、第二針部材２１に組み合わされる第一針部材２０は、引張バネであるコイルバネ４によって歯口下方に付勢された状態になっている。第一針部材２０を動かさない限り、保持状態にある編出し針２は保持状態のまま、非保持状態にある編出し針２は非保持状態のまま維持される。
【００３４】
以上説明した構成の他に、針溝１ｇ内における編出し針２全体のスライド範囲を規定する構成として、第一針部材２０（第二針部材２１）には、針溝１ｇ内における編出し針２のスライド範囲の下端を決める下端規定部２ｗ（２ｘ）と、当該スライド範囲の上端を決める上端規定部２ｙ（２ｚ）と、が設けられている。下端規定部２ｗ（２ｘ）は、編出し針２が下方にスライドしたときに、図５のベース部１の当止部１ｔに当て止めされ、編出し針２全体のスライド範囲の下端を規定する。一方、上端規定部２ｙ（２ｚ）は、編出し針２が上方にスライドしたときに、図４，５のベース部１に取り付けられる帯金１ｂに当て止めされ、編出し針２全体のスライド範囲の上端を規定する。
【００３５】
ここで、編出し針は、第一針部材と第二針部材とが相対的にスライドすることで、編出し針が保持状態と非保持状態になる構成であれば良く、上述した構成に限定されるわけではない。例えば、特開平５−７１０５１号公報の図１〜図３や、特表２０１１−５１３６０１号公報に記載されるような編出し針であっても構わない。前者の編出し針は、フック２ｆを有する第二針部材２１に相当する部材が下方にスライドすることで保持状態となる編出し針である。後者の編出し針は、図３に示す本例の編出し針２とは逆に、フック収納部２ｃを有する第一針部材２０に相当する部材が下方にスライドすることで保持状態となる編出し針である。また、第二針部材２１に付勢力を作用させる付勢体は、コイルバネ４に限定されるわけではない。例えば、ゴムなどの弾性材によって付勢体を構成しても構わない。
【００３６】
≪針制御機構≫
本例の針制御機構３は、図４，５に示すように、第一針部材２０の下端部に設けられるバット３０と、ベース部１の設置部１１に摺動可能に取り付けられる作用片３１と、作用片３１を上下動させる昇降機構部３２（図２参照）と、を備える。
【００３７】
［作用片］
作用片３１は、図４に示すように矩形状の収納凹部（針側係合部）３１ｗを有する板状部３１Ａと、板状部３１Ａの下部に連結される作動腕３１Ｂと、を備える（図４では板状部３１Ａの一部のみを図示）。本例の作用片３１は、図２に示すように、ベース部１の幅方向とほぼ同じ幅を持った板状部３１Ａに、二つの作動腕３１Ｂが連結された部材である。図４に示すように、作動腕３１Ｂは、ベース部１のスライド凹部１ｓに嵌め込まれており、そのため作用片３１は編出し針２の延伸方向（紙面上下方向）に沿ってベース部１上を摺動する。作用片３１は、設置部１１の表面側で、コイルバネ４の背面側に設けられる。作用片３１の作動腕３１Ｂはカバー部材１３（図２参照）で覆われており、作用片３１がベース部１から外れないようになっている。カバー部材１３は、コイルバネ４の背面側に配置され、設置部１１に固定されている。ここで、板状部３１Ａに繋がる作動腕３１Ｂの数は特に限定されない。
【００３８】
作用片３１の板状部３１Ａに設けられる収納凹部３１ｗには、第一針部材２０のバット３０が配置される。一つの収納凹部３１ｗに配置されるバット３０の数、即ち一つの収納凹部３１ｗに対応する編出し針２の数は、特に限定されない。また、作用片３１に設ける収納凹部３１ｗの数も特に限定されない。収納凹部３１ｗは、底部を有する凹みでも良いし、板状部３１Ａを貫通する貫通孔でも良い（本例は後者）。つまり、本例の構成では、編出し針２の延伸方向において、収納凹部３１ｗの長さの範囲で編出し針２を移動させることができるようになっている。一定の編幅毎のウエールの編成コース数が異なる編地を編成する場合、編地の形状に沿って編出し針２が配置される。例えば、図４（Ａ）に示す例では、編地の形状に対応して中央の二つの編出し針２が、その他の編出し針２よりも収納凹部３１ｗの長さの範囲内で紙面上側に移動している。その場合、中央の二つの編出し針２には、紙面下方向へのコイルバネ４の付勢力が、他の編出し針２よりも強く作用する。その結果、編地の一定の編幅毎の各ウエールの編成コース数に応じた引下げ力を編地に付与できる。
【００３９】
また、収納凹部３１ｗに第一針部材２０のバット３０が配置される構成によれば、板状部３１Ａを上方側に移動させることで、収納凹部３１ｗの下端縁によってバット３０を上方に押上げることができ、板状部３１Ａを下方側に移動させることで、収納凹部３１ｗの上端縁によってバット３０を下方に引下げることができる。バット３０の押上げおよび引下げは、図５を参照して後述するように、編出し針２の保持状態と非保持状態との切り替えに関連する。
【００４０】
作用片３１の作動腕３１Ｂの下端側には、カムフォロア３１Ｃが設けられている。カムフォロア３１Ｃは、作動腕３１Ｂの表面から突出する円筒状の部材であって、ベアリングによって回転可能に構成されている。カムフォロア３１Ｃは、回転しない円筒状の部材や、軸部の先端に球体が設けられた部材であっても良い。その場合、カムフォロア３１Ｃのうち、カム溝３２ｇに摺接する部分を滑り易い材質で構成することで、カムフォロア３１Ｃとカム溝３２ｇの損傷を抑制することができる。
【００４１】
［昇降機構部］
昇降機構部３２は、上記カムフォロア３１Ｃと、カムフォロア３１Ｃが係合するカム溝３２ｇを備えるカム板３２Ａと、カム板３２Ａを動かす駆動部３２Ｂ（図２参照）と、を備える。カム溝３２ｇの数は、カムフォロア３１Ｃの数に対応する。
【００４２】
カム板３２Ａは設置部１１の下端側の位置に、ベース部１の幅方向（編出し針２の延伸方向に直交する方向）にスライド可能に設けられている。カム板３２Ａの表面はカバー部材１４（図２参照）で覆われており、設置部１１から外れないようになっている。このカム板３２Ａに設けられるカム溝３２ｇは全体的に、斜め方向（ベース部１の幅方向に交差する方向）に伸びている。カム溝３２ｇは、その上端の位置と下端の位置にそれぞれ、ベース部１の幅方向に延びる上端フラット部３２０と下端フラット部３２９を備える。下端フラット部３２９にカムフォロア３１Ｃが配置されることで、作用片３１によってバット３０が下方に引下げられ、編出し針２が非保持状態になるように下端フラット部３２９が形成されている。また、上端フラット部３２０にカムフォロア３１Ｃが配置されることで、作用片３１によってバット３０が上方に押上げられ、編出し針２が保持状態になるように上端フラット部３２０が形成されている。カムフォロア３１Ｃとカム溝３２ｇとの係合によって作用片３１を移動させる構成によれば、作用片３１を滑らかに上下動させることができる。また、カム溝３２ｇの上端と下端にフラット部３２０，３２９を形成することで、作用片３１の移動範囲の上端位置と下端位置を高精度に決めることができる。
【００４３】
ここで、図３に示す編出し針２の代わりに、フック収納部を有する第一針部材が下方にスライドすることで保持状態となる編出し針（特表２０１１−５１３６０１号公報参照）を用いる場合、カムフォロア３１Ｃが上端フラット部３２０（下端フラット部３２９）に配置されたときに編出し針が非保持状態（保持状態）となる。
【００４４】
上記カム溝３２ｇは更に、下端フラット部３２９寄りの位置に、ベース部１の幅方向に延びる中間フラット部３２５を備える。中間フラット部３２５にカムフォロア３１Ｃが配置されたときに、作用片３１がバット３０に作用する直前の位置に停止するように、中間フラット部３２５が形成されている。ここで、本例のカム溝３２ｇとは異なり、フラット部３２０，３２９，３２５を有さないカム溝３２ｇとすることもできる。
【００４５】
カム板３２Ａをスライドさせる駆動部３２Ｂは、図２に示すように、カム板３２Ａの下端に形成されるラック３２ｒと、ラック３２ｒに係合するピニオン３２ｐと、ピニオン３２ｐを回転させるモータ３２ｍと、で構成される。つまり、本例では、一つのモータ３２ｍで編出し装置１００に備わる全ての編出し針２の状態を切り替えることができるように構成されている。
【００４６】
ここで、作用片３１を上下動させる昇降機構部３２は、編出し装置１００の厚み方向に大きく突出しない構成であれば良く、実施形態の構成に限定されるわけではない。例えば、上下方向に延びるラックを作用片３１に設け、ピニオンによって作用片３１を上下動させても良いし、クランク機構を用いて作用片３１を上下動させても良い。その他、昇降機構部３２は、作用片３１を上下に直動させる構成、例えばソレノイドやエアシリンダーなどを用いたアクチュエータで構成することもできる。
【００４７】
≪針制御機構による編出し針の動作≫
図５を参照し、針制御機構３によってどのように編出し針２が動作するかを説明する。図５（Ａ）には、カム板３２Ａのカム溝３２ｇ（図４参照）によってカムフォロア３１Ｃが下限位置（図４の下端フラット部３２９の位置）まで引下げられた状態が示されている。カムフォロア３１Ｃが下限位置に引下げられる少し前から作用片３１の収納凹部３１ｗの上端縁が第一針部材２０のバット３０を引下げる（中央丸囲み部分を参照）。バット３０が下方に引下げられることで、第一針部材２０が下方にスライドし、上部丸囲み部分に示すようにフック収納部２ｃ内にフック２ｆが収納される。つまり、図５（Ａ）では、編出し針２が非保持状態になっている。
【００４８】
図５（Ｃ）には、カム板３２Ａのカム溝３２ｇ（図４参照）によってカムフォロア３１Ｃが上限位置（図４の上端フラット部３２０の位置）まで押上げられた状態が示されている。カムフォロア３１Ｃが上限位置に押上げられる少し前から作用片３１の収納凹部３１ｗの下端縁が第一針部材２０のバット３０を押上げる（中央丸囲み部分を参照）。バット３０が上方に押上げられることで、第一針部材２０が上方にスライドし、上部丸囲み部分に示すようにフック収納部２ｃからフック２ｆが露出する。つまり、図５（Ｃ）では、編出し針２が保持状態になっている。
【００４９】
編出し針２で編出し部を捕捉する場合、編出し針２を非保持状態（図５（Ａ）参照）とし、編出し装置１００のベース部１を歯口ＧＰに向けて上昇させ、編出し部の位置に編出し針２を配置する。次いで、編出し針２を保持状態（図５（Ｃ）参照）とし、ベース部１を下降させて編出し針２のフック２ｆで編出し部を捕捉する。そして、ベース部１を下降させ、編出し部にテンションをかけながら編地を編成する。編出し部が巻下げローラ３０１，３０２（図１）を通過したら、巻下げローラ３０１，３０２で編地部を挟み込むと共に、図４のカム板３２Ａを紙面右方向に移動させて編出し針２を非保持状態（図５（Ａ）参照）とする。
【００５０】
ここで、図４のカム板３２Ａを左方向に移動させて編出し針２を保持状態（図５（Ｃ）参照）として編出し部を捕捉した後、図４のカム板３２Ａを右方向に移動させ、カムフォロア３１Ｃを中間フラット部３２５の位置に配置しても良い。そうすることで、図５（Ｂ）の中央丸囲み部分に示すように、作用片３１の収納凹部３１ｗの上端縁がバット３０に接触する直前の位置で停止する。その結果、上部丸囲み拡大図に示すように編出し針２が保持状態に維持され、かつバット３０の上方への移動が、収納凹部３１ｗの上端縁で規制される。バット３０の移動が限定されることで、編出し針２にコイルバネ４の付勢力を作用させない状態で編地を編成することができる。なお、中間フラット部３２５にカムフォロア３１Ｃが配置されたときに、収納凹部３１ｗの上端縁がバット３０に接触しても構わない。但し、編出し針２が保持状態で維持されるように、中間フラット部３２５を形成する必要がある。
【００５１】
≪効果≫
図５に示すように、本例の編出し装置１００は、駆動部３２Ｂ（図１，２参照）を除けば、編出し装置１００の厚み方向（ベース部１の厚み方向に同じ）に大きく突出する構成を有しておらず、特許文献１の編出し装置よりもコンパクトである。そのため、横編機における編出し装置１００の搭載スペースは、従来の編出し装置よりも小さい。
【００５２】
また、図１に示すように、本例の編出し装置１００によれば、横編機において巻下げ装置３００と併設させることが容易にできる。編出し装置１００で編地の編出し部を捕捉する場合、編出し装置１００のベース部１を歯口ＧＰに向って移動させる。その際、ベース部１は、巻下げ装置３００の巻下げローラ３０１，３０２の間を通過する。ここで、本例の編出し装置１００のベース部１のうち、巻下げローラ３０１，３０２を通過する部分には、ベース部１の厚み方向に大きく突出する構成がないため、編出し装置１００が巻下げローラ３０１，３０２に接触するなどの不具合が生じない。従って、巻下げローラ３０１，３０２間の間隔を、編出し装置１００を回避できる位置まで拡げる機構を設けるなどの特別な設計変更を行なうことなく、編出し装置１００と巻下げ装置３００とを併設させることができる。なお、駆動部３２Ｂはベース部１の厚み方向に大きく突出しているものの、巻下げ装置３００に接触しない位置にあるので、上記不具合の原因とはならない。
【００５３】
＜実施形態２＞
実施形態１とは異なり、第一針部材２０の下端にコイルバネ４を取付け、フック２ｆを有する第二針部材２１にバット（針側係合部）３０を設けても構わない。つまり、フック２ｆを有する第二針部材２１を第一針部材２０に対してスライドさせることで、編出し針２の非保持状態と保持状態とを切り替える構成としても構わない。この場合、実施形態１と同様に図４のカムフォロア３１Ｃが下端フラット部３２９に配置されたときに編出し針２が保持状態になる。この編出し針２を介して編地の編出し部にコイルバネ４の付勢力を作用させるには、編出し針２で編出し部を捕捉した後、カムフォロア３１Ｃを下端フラット部３２９から上端フラット部３２０の手前まで移動させれば良い。
【００５４】
＜実施形態３＞
実施形態１，２と異なり、作用片３１に設けるベース側係合部をバット、編出し針２に設ける針側係合部を収納凹部とすることもできる。編出し針２に形成する収納凹部は、編出し針２の一部を切り欠くことで形成することができる。その他、編出し針２の延伸方向に離隔する二つの突起を編出し針２に形成し、両突起で挟まれる部分を収納凹部とすることもできる。収納凹部は、第一針部材２０と第二針部材２１のいずれに設けても構わない。
【符号の説明】
【００５５】
１００  編出し装置
１  ベース部
１０  針床部  １１  設置部  １２  ブラケット  １３，１４  カバー部材
１ｂ  帯金  １ｇ  針溝  １ｊ  係止部材  １ｓ  スライド凹部  １ｔ  当止部
２  編出し針
２０  第一針部材  ２１  第二針部材
２ａ  スライド係合部（係合凹部）  ２ｂ  スライド係合部（係合凸部）
２ｃ  フック収納部  ２ｆ  フック  ２ｇ  スライド溝  ２ｊ  係止部
２ｗ，２ｘ  下端規定部  ２ｙ，２ｚ  上端規定部
３  針制御機構
３０  バット（針側係合部）
３１  作用片    ３１Ａ  板状部  ３１Ｂ  作動腕  ３１Ｃ  カムフォロア
３１ｗ  収納凹部（ベース側係合部）
３２  昇降機構部    ３２Ａ  カム板  ３２Ｂ  駆動部
３２ｇ  カム溝  ３２ｍ  モータ  ３２ｐ  ピニオン  ３２ｒ  ラック
３２０  上端フラット部  ３２９  下端フラット部
３２５  中間フラット部
４  コイルバネ（付勢体）
２００  横編機
ＦＢ  前針床  ＢＢ  後針床  ＧＰ  歯口
３００  巻下げ装置
３０１，３０２  巻下げローラ
【図１】
0006257569.tif 000002
【図２】
0006257569.tif 000003
【図３】
0006257569.tif 000004
【図４】
0006257569.tif 000005
【図５】
0006257569.tif 000006